(57)【要約】      （修正有）【課題】卓球やテニスやバドミントンの様に用具が任意の場所に持ち運びが可能で一般人が楽しむことの出来るスポーツにおいて確認を必要とする競技内容を電波動作によって表示し、競技内容表示盤は手持ち操作体により操作出来、電源は電池であり持ち運び容易であると共にＬＥＤで表示され楽しむことが出来るポータブル競技内容表示装置を提供する。【解決手段】ポータブル競技内容表示装置は電池２を有する競技内容表示盤１とこれに電波により必要な情報を手動の押圧によって送る小型手持ち操作体３から構成される。競技内容が競技内容表示盤にＬＥＤが表示され、競技者４は競技に集中し楽しむことが出来る。【選択図】図３
2019217230.tif 000002
【特許請求の範囲】
【請求項１】
卓球、テニス、バドミントンの如く用具を任意の場所に持ち運び可能で一般人でも楽しむことの出来るスポーツにおいて確認を必要とする競技内容表示する装置であって、該装置は、電源として持ち運び出来る電池と、該電池に連結される競技内容表示盤と、該競技内容表示盤を遠距離から電気的に操作すべく信号を発する把握可能な手持ち操作体とからなり、前記競技内容表示盤は競技結果等をＬＥＤ表示により明示する小型のプレート状のものからなり、前記手持ち操作体は手動で簡単に操作できる操作体で遠方より操作出来るものからなることを特徴とするポータブル競技内容表示装置。
【請求項２】
前記競技内容表示盤の表示内容が、競技結果の点数の加算、減算や成績の表示やチェンジコートの表示やサーブチェンジの表示や勝負結果等を表示ものからなることを特徴とする請求項１に記載のポータブル競技内容表示装置。
【請求項３】
前記手持ち操作体は必要とする指令を押しボタンの押圧によって操作するのからなることを特徴とする請求項１に記載のポータブル競技内容表示装置。
【請求項４】
前記競技内容表示装置が前記競技内容表示盤におけるＬＥＤ表示のみでなく音声により内容を放送するものからなることを特徴とするポータブル競技内容表示装置。
【発明の詳細な説明】
【技術分野】
【０００１】  本発明は卓球やテニスやバドミントンのように用具が任意の場所に持ち運び可能で一般人でも楽しむことの出来るスポーツにおいて確認を必要とする競技内容を表示する又は音声で知らせるポータブル競技内容表示装置に関する。
【背景技術】
【０００２】  卓球やテニスやバドミントンの如く任意の場所に持ち運び可能で一般人でも楽しく競技出来るスポーツにおいてはその結果を明確にする必要がある。例えば卓球では競技のために取得した点数を数えてその結果を明確にする必要がある。選手が行うこれ等のスポーツでは競技の内容や結果を明示する手段が設けられているが一般人の場合には主にその都度手で数える手段が用いられている。このため記憶違いする場合もあり、競技に集中できなくなる欠点が生じ易い。また、一般人の場合は競技内容を表示する装置を用意することは普通は出来ないし、また、一般人が使用出来る簡単な装置も存在していない。なお、競技の点数を数える点数表示具としては「特許文献１」や「特許文献２」があるが後に説明するが本発明とは相異するものである。
【先行技術文献】
【特許文献】
【０００３】
【特許文献１】実願昭５６−１８０４３９号（図１）
【特許文献２】実願昭５８−７０６０１号（図１）  「特許文献１」の「実願昭５６−１８０４３９号」の「卓球競技用の得点表示具」はプラスチックの軽量材や厚紙にタイムやスコアや促進等の表示記載を一目瞭然に表示するものであり、これ等の作用は手動で行うものであり、電気的に作動する本発明とは相異する。
また、「特許文献２」の「実願昭５６−７０６０１号」の「テニス用スコア表示器」はラケットそのものにゲームポイント数が印刷されている部材を貼付けするものであり、スコアが夫々明示されるが本発明とは相異するものである。
以上の如く、従来技術では簡便で電気的に操作出来る公知技術は存在しない。
【発明の概要】
【発明が解決しようとする課題】
【０００４】  卓球、テニス、バドミントン等は一般人が競技する場合が多く、従来はそのスコア等は競技者が指で数えながら記憶しているものが普通であった。このためスコアの間違いやチェンジコートやサーブチェンジの指示や成績の表示等が正確に行なわれない問題点があった。これ等の問題点を解決する手段としてスコアが記憶することなく管理でき、点数管理者が居ない場合でも競技者自身が簡単にリモコン操作でき、表示盤にはスコア等の必要の表示が電気的に遠方の位置からも操作でき電源のない所でも電池使用のため操作でき、表示盤の表示がＬＥＤで表示できて暗い場所でもクリアな目視が出来、観戦者も表示盤を見ることが出来楽しさが倍増し競技の盛り上がりが出来るような表示装置が望ましい。また、表示のみでなく音声で内容を通知することが出来れば競技者はスコアを見ることが無く、競技に集中できるものが更に望ましい。本発明は以上の内容のものを可能にする競技内容表示装置を提供することを目的とする。
【課題を解決するための手段】
【０００５】  本発明は以上の目的を達成するために発明されたものであり、請求項１の発明は、卓球、テニス、バドミントンの如く用具を任意の場所に持ち運び可能で一般人でも楽しむことの出来るスポーツにおいて確認を必要とする競技内容表示する装置であって、該装置は、電源として持ち運び出来る電池と、該電池に連結される競技内容表示盤と、該競技内容表示盤を遠距離から電気的に操作すべく信号を発する把握可能な手持ち操作体とからなり、前記競技内容表示盤は競技結果等をＬＥＤ表示により明示する小型のプレート状のものからなり、前記手持ち操作体は手動で簡単に操作できる操作体で遠方より操作出来るものからなることを特徴とする。【０００６】  また、請求項２の発明は、前記競技内容表示盤の表示内容が、競技結果の点数の加算、減算や成績の表示やチェンジコートの表示やサーブチェンジの表示や勝負結果等を表示ものからなることを特徴とする。【０００７】  また、請求項３の発明は、前記手持ち操作体は必要とする指令を押しボタンの押圧によって操作するのからなることを特徴とする。【０００８】  また、請求項４の発明は、前記競技内容表示装置が前記競技内容表示盤におけるＬＥＤ表示のみでなく音声により内容を放送するものからなることを特徴とする。
【発明の効果】
【０００９】  本発明の請求項１のポータブル競技内容表示装置によれば、電源として電池を用いるため競技内容表示盤を任意の所に配置でき競技者も観戦者も容易に見ることが出来る。また、競技内容表示盤には競技結果等をＬＥＤで明示出来、その操作は近く又は遠方（例えば２０ｍ）の位置から手動操作体の手動操作によって行うことが出来るため正確で簡便な操作が出来る。【００１０】  また、請求項２のポータブル競技内容表示装置によれば、競技内容表示盤の表示内容が競技結果の点数の加算、減算や成績の表示やチェンジコートの表示やサーブチェンジの表示や勝敗結果等の表示が出来、競技者も観戦者も競技内容を容易に、かつ明確に知ることが出来る。【００１１】  また、請求項３のポータブル競技内容表示装置によれば、手動操作体は必要とする指令を押しボタンの押圧によって操作出来るものからなり、明確な指令を競技内容表示盤に電波として送ることが出来る。また、手動のためコンパクトの形状のものからなり操作も容易に出来る効果がある。【００１２】    また、請求項４のポータブル競技内容表示装置によれば、音声によって競技内容を伝えることが出来、明確なアナウンスの出来る効果を上げることが出来る。
【図面の簡単な説明】
【００１３】
【図１】本発明の全体構成を示す平面図（この場合、競技内容表示盤にはスコアのみ表示）。
【図２】競技内容表示盤に示される内容を示す平面図（なお、この内容に限定するものではない）。
【図３】卓球時におけるポータブル競技内容表示装置の配置の一例を示す模式図。
【発明を実施するための形態】
【００１４】  以下、本発明のポータブル競技内容表示装置の実施の形態を図面を参照して説明する。
【実施例１】
【００１５】  図１にポータブル競技内容表示装置１００の構成を示す。即ち、競技内容表示１とこれに連結する電源としての電池２と競技内容表示盤を電波動作する手持ち操作体３とからなる。競技内容表示盤１は基板が内蔵される小型のプレート状のものからなり電池２と共に任意の場所に持ち運んで設置することが出来る。なお、基板の構造についてはノウハウであり、ここでは説明しない。また、ここに表示される内容としては図２に示すようにスコア表示、サーブチェンジ表示、チェンジコート表示、勝敗結果の表示等が有りこれ等はＬＥＤ表示される。なお、この内容は上記に限定するものではない。また、電池２も約２０時間等と長い持ち時間を有する。また、手動操作体３は手持ち出来る小型のものからなり、押しボタンを有する形状からなり、この押しボタンを押圧することにより所望の表示が競技内容表示盤１に表示される電波を発信することが出来るものからなる。なお、例えば、スコア表示については押しボタンの押圧数により加算や減算が出来るように構成されている。また、他の表示もそれに対応する押しボタンの押圧によって行われる。
【実施例２】
【００１６】  図３は卓球競技における本発明のポータブル競技内容表示装置１００の配置の一例を示す模式図である。この実施例２では競技者４の２名と手持ち操作体３を操作する操作員５の１名からなるものであるが操作員５は不要の場合は競技者４の夫々が手持ち操作体３を保持して必要な動作をするようにしてもよい。また、操作員５はテーブル６の近辺に居なくてもよく、例えば、２０ｍ離れた場所からでもよい。なお、図示のように競技内容表示盤１はテーブル６の近辺に配置するのがよいがこれに限定するものではない。
以上の配置によりプレーする競技者４は必要な情報を見ながらプレーすることが出来、楽しさが倍増し、競技の盛り上がりが図れる結果を得ることが出来る。【００１７】  本発明の内容は以上のものからなるが、これに限定するものではなく、同一技術的範疇のものが適用されることは勿論である。
【産業上の利用可能性】
【００１８】  本発明のポータブル競技内容表示装置は前記のように卓球、テニス、バドミントンの競技に使用されるのみではなく、対抗する内容の他の競技にも適用されると共に前記の競技は大勢の老若男女が行うものであり、その利用範囲は極めて広い。
【符号の説明】
【００１９】  １      競技内容表示盤
２      電池
３      手持ち操作体
４      競技者
５      操作員
６      テーブル
１００    ポータブル競技内容表示装置
【図１】
2019217230.tif 000003
【図２】
2019217230.tif 000004
【図３】
2019217230.tif 000005
【手続補正書】
【提出日】平成30年9月10日(2018.9.10)
【手続補正１】
【補正対象書類名】特許請求の範囲
【補正対象項目名】請求項２
【補正方法】変更
【補正の内容】
【請求項２】
前記競技内容表示盤の表示内容が、競技結果の点数の加算、減算や成績の表示やチェンジコートの表示やサーブチェンジの表示や勝負結果等の表示からなることを特徴とする請求項１に記載のポータブル競技内容表示装置。
【手続補正２】
【補正対象書類名】特許請求の範囲
【補正対象項目名】請求項４
【補正方法】変更
【補正の内容】
【請求項４】
前記のポータブル競技内容表示装置が前記競技内容表示盤におけるＬＥＤ表示のみでなく音声により内容を放送するものからなることを特徴とする請求項１に記載のポータブル競技内容表示装置。